(57)【特許請求の範囲】
【請求項１】
前後方向に延び、中央付近を中心として揺動自在の鍵と、
ハンマー支点を中心として回動自在のハンマーと、
前記鍵および前記ハンマーの一方に設けられるとともに、前記鍵および前記ハンマーの他方に当接するキャプスタンスクリューと、を備え、
前記ハンマーは、前記キャプスタンスクリューを介して、前記鍵の後部に載置されるとともに、前記鍵の押鍵に伴い、当該鍵に突き上げられ、
前記キャプスタンスクリューを側方から見たときの、前記キャプスタンスクリューの鉛直に対する角度は、前記鍵が離鍵状態にあるときよりも、前記鍵が押しきられたときの方が小さく設定されていることを特徴とする電子鍵盤楽器の鍵盤装置。
【請求項２】
前記鍵が離鍵状態にあるときに、前記ハンマー支点および前記ハンマーの重心が互いにほぼ同じ高さに位置していることを特徴とする、請求項１に記載の電子鍵盤楽器の鍵盤装置。
【発明の詳細な説明】
【技術分野】
【０００１】
本発明は、揺動自在の鍵と、押鍵された鍵で突き上げられることによって回動するハンマーを備える電子鍵盤楽器の鍵盤装置に関する。
【背景技術】
【０００２】
従来、この種の電子鍵盤楽器の鍵盤装置として、例えば特許文献１に開示されたものが知られている。この鍵盤装置は、揺動自在の鍵と、回動自在のハンマーと、鍵の押鍵情報を検出するスイッチを備えており、ハンマーには、キャプスタンスクリューがねじ込まれている。ハンマーは、キャプスタンスクリューを介して、鍵に載置されている。鍵が押鍵されると、鍵は、キャプスタンスクリューを介して、ハンマーを突き上げる。これにより、ハンマーが回動し、スイッチを押圧することによって、押鍵情報が検出され、それに応じて楽音が発生する。また、キャプスタンスクリューを側方から見たときの、キャプスタンスクリューの鉛直に対する角度は、鍵が離鍵状態にあるときよりも、鍵を押しきったとき（押鍵の終了時）の方が大きく設定されている。
【先行技術文献】
【特許文献】
【０００３】
【特許文献１】特許第３５９１５７９号公報
【発明の概要】
【発明が解決しようとする課題】
【０００４】
一般に、この種の鍵盤装置では、スイッチを押圧するハンマーの回動速度に応じて楽音の音量が制御されるので、豊かな演奏表現を得るためには、ハンマーの回動速度を細かく調整できるようにすることが好ましい。例えば、ピアニッシモのような弱音は、ハンマーをスイッチの付近まで一旦、回動させ、その状態からさらに回動させることにより、スイッチを押圧する際のハンマーの回動速度を小さくすることによって得ることができる。
【０００５】
また、鍵盤装置の良好な演奏性を得るべく、演奏者がハンマーの回動速度を調整し易くするためには、鍵のタッチ重さ（演奏者の指先にかかる荷重）を適度な大きさに設定することが重要である。特に、弱音を適切に得るには、スイッチの付近まで回動したハンマーをさらに回動させるときのタッチ重さ、すなわち押鍵の終了直前におけるタッチ重さを、適度な大きさに設定することが重要である。ハンマーがキャプスタンスクリューを介して鍵に載置されているため、このタッチ重さは、キャプスタンスクリューを介して鍵に作用するハンマーの反力などによって定まる。また、ハンマーの反力は、ハンマーの自重によるものであり、主として鉛直に作用する。
【０００６】
上述した従来の鍵盤装置では、キャプスタンスクリューの鉛直に対する角度が、鍵が離鍵状態にあるときよりも押鍵の終了時の方が大きく設定されている。このため、押鍵の終了直前に、鉛直に作用するハンマーの反力のうち、キャプスタンスクリューの軸に対して直角な方向の分力が大きくなることで、ハンマーの反力がキャプスタンスクリューを介して鍵に適切に伝達されなくなり、それによりタッチ重さが減少する。これにより、従来の鍵盤装置では、押鍵の終了直前に、タッチ重さが不足してしまい、その結果、ハンマーの回動速度を適切に調整できず、ひいては、良好な演奏性を得ることができなくなってしまう。
【０００７】
本発明は、以上のような課題を解決するためになされたものであり、押鍵時にタッチ重さを十分に確保でき、それにより、良好な演奏性を得ることができる電子鍵盤楽器の鍵盤装置を提供することを目的とする。
【課題を解決するための手段】
【０００８】
上記の目的を達成するために、請求項１に係る発明は、前後方向に延び、中央付近を中心として揺動自在の鍵と、ハンマー支点を中心として回動自在のハンマーと、鍵およびハンマーの一方に設けられるとともに、鍵およびハンマーの他方に当接するキャプスタンスクリューと、を備え、ハンマーは、キャプスタンスクリューを介して、鍵の後部に載置されるとともに、鍵の押鍵に伴い、鍵に突き上げられ、キャプスタンスクリューを側方から見たときの、キャプスタンスクリューの鉛直に対する角度は、鍵が離鍵状態にあるときよりも、鍵が押しきられたときの方が小さく設定されていることを特徴とする。
【０００９】
この構成によれば、鍵が、前後方向に延びるとともに、中央付近を中心として揺動自在になっており、ハンマーが、ハンマー支点を中心として回動自在になっている。また、鍵およびハンマーの一方に設けられたキャプスタンスクリューが、鍵およびハンマーの他方に当接している。また、ハンマーは、キャプスタンスクリューを介して、鍵の後部に載置されるとともに、鍵の押鍵に伴い、鍵に突き上げられ、それにより上方に回動する。このように、ハンマーがキャプスタンスクリューを介して鍵に載置されているので、鍵には、ハンマーの自重による反力が作用し、ハンマーの反力は、主として鉛直に作用する。また、このハンマーの反力などによって、鍵のタッチ重さ（演奏者の指先にかかる荷重）が定まる。
【００１０】
上述した構成によれば、キャプスタンスクリューを側方から見たときの、キャプスタンスクリューの鉛直に対する角度は、鍵が離鍵状態にあるときよりも、鍵が押しきられたとき、すなわち押鍵の終了時の方が小さく設定されている。これにより、鍵の押鍵時に、すなわち、押鍵が開始されてから終了されるまでの間にわたって、鉛直に作用するハンマーの反力のうち、キャプスタンスクリューの軸に対して直角な方向の分力を低減することができ、それにより、ハンマーの反力を、キャプスタンスクリューを介して鍵に適切に伝達することができる。したがって、押鍵時にタッチ重さを十分に確保でき、それにより、良好な演奏性を得ることができる。特に、前述した従来の鍵盤装置と異なり、押鍵の終了直前においてタッチ重さを十分に確保できるので、良好な演奏性をより有効に得ることができる。
【００１１】
請求項２に係る発明は、請求項１に記載の電子鍵盤楽器の鍵盤装置において、鍵が離鍵状態にあるときに、ハンマー支点およびハンマーの重心が互いにほぼ同じ高さに位置していることを特徴とする。
【００１２】
前述したように、ハンマーは、ハンマー支点を中心として回動自在であり、鍵に載置されている。このように、ハンマーは、ハンマー支点と鍵に支持されている。また、鍵が離鍵状態にあるときに、ハンマー支点がハンマーの重心よりも低い場合には、鉛直方向に作用するハンマーの重力（反力）のうち、ハンマーの長さ方向の分力が大きくなることで、ハンマー支点で支持される分が大きくなり、その分、鍵で支持される分が小さくなる。このため、鍵が押鍵されると、それによりハンマーが上方に回動するのに伴い、ハンマー支点が重心に対してさらに低くなるので、それによりハンマーの長さ方向の分力がさらに大きくなることで、鍵に作用するハンマーの反力は、さらに小さくなる。上述した構成によれば、鍵が離鍵状態にあるときに、ハンマー支点およびハンマーの重心が互いにほぼ同じ高さに位置しているので、ハンマー支点がハンマーの重心よりも低い場合と比較して、ハンマーの長さ方向の分力を低減でき、それにより、押鍵時に鍵に作用するハンマーの反力すなわちタッチ重さを増大させることができる。これにより、請求項１に係る発明による効果、すなわち、押鍵時にタッチ重さを十分に確保でき、それにより良好な演奏性を得ることができるという効果を、より有効に得ることができる。
【図面の簡単な説明】
【００１３】
【図１】本発明の一実施形態による電子ピアノの鍵盤装置を、鍵が離鍵状態にある場合において、一部を切り欠いた状態で示す側面図である。
【図２】図１の一部を拡大して示す側面図である。
【図３】図１の鍵盤装置を、鍵が押しきられた場合において、一部を切り欠いた状態で示す側面図である。
【図４】図３の一部を拡大して示す側面図である。
【図５】比較例による電子ピアノの鍵盤装置を、鍵が離鍵状態にある場合において、一部を切り欠いた状態で示す側面図である。
【図６】図５の鍵盤装置を、鍵が押しきられた場合において、一部を切り欠いた状態で示す側面図である。
【図７】比較例における、（ａ）クロスに直交する垂直線に対するキャプスタンスクリューの角度を示す図、（ｂ）クロスに対するキャプスタンスクリューの接触面積を示す図である。
【図８】本実施形態における、（ａ）クロスに直交する垂直線に対するキャプスタンスクリューの角度を示す図、（ｂ）クロスに対するキャプスタンスクリューの接触面積を示す図である。
【発明を実施するための形態】
【００１４】
以下、図面を参照しながら、本発明の好ましい実施形態を詳細に説明する。図１に示す電子ピアノの鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１５】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、水平な棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１６】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１７】
鍵２は、前後方向に延びるとともに矩形状の横断面を有する木製の鍵本体１５と、その前部の上面および前面に接着された合成樹脂製の鍵カバー１６で構成されている。鍵本体１５の前後方向の中央には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。また、鍵２の後端部の上面には、フェルトなどで構成されたクロスＣが貼り付けられている。
【００１８】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するためのピン状のハンマー支点２１が形成されている。
【００１９】
ハンマー５は、前後方向に延びるアーム状のハンマー本体２２と、その左右の側面の前端部に取り付けられた錘板２３（１つのみ図示）を有する。ハンマー本体２２は合成樹脂の成形品で構成され、錘板２３は、比重が比較的大きな鉄などの金属材料で構成されている。ハンマー本体２２の後端部には、円弧状の軸穴２４が形成されており、ハンマー５は、この軸穴２４がハンマー支点２１に係合することによって、ハンマーサポート４に回動自在に支持されている。鍵２が離鍵状態にあるときには、ハンマー支点２１およびハンマー５の重心ＧＧは、互いにほぼ同じ高さに位置している（図２参照）。
【００２０】
また、ハンマー本体２２の下面には、軸穴２４のすぐ前側の位置に、キャプスタンスクリュー２５が進退自在にねじ込まれている。キャプスタンスクリュー２５は、正面から見て、鉛直に延びており、クロスＣを介して鍵２の後端部に当接している。ハンマー５は、このキャプスタンスクリュー２５を介して、鍵２の後端部に載置されている。図２に示すように、鍵２が離鍵状態にあるときには、キャプスタンスクリュー２５は、鉛直に対して前方に若干、傾いており、この場合における、キャプスタンスクリュー２５を側方（左右方向の一方）から見たときの、キャプスタンスクリュー２５の鉛直に対する角度（以下「キャプスタン角度」という）は、第１所定値θ１に設定されている。
【００２１】
また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２２】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びておりその先端部には、くびれ部を介して頭部２８が形成されている。この頭部２８は、離鍵状態において、ハンマー５の係合突起２７に対向している。
【００２３】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、中央の部分で、スイッチ取付部２０にねじ止めされている。また、スイッチ本体３０は、スイッチ基板２９の下面に取り付けられており、離鍵状態において、ハンマー５のアクチュエータ部２６に若干の間隔をもって対向している。さらに、スイッチ取付部２０の下面の前端部には、上方へのハンマー５の回動を規制する、発泡ウレタンなどで構成されたハンマーストッパ３１が設けられている。
【００２４】
次に、上記構成の鍵盤装置１の動作について説明する。図１に示す離鍵状態から鍵２が押鍵されると、鍵２は、バランスピン１３を中心として、同図の反時計方向に揺動し、それに伴い、ハンマー５は、キャプスタンスクリュー２５を介して鍵２に突き上げられ、ハンマー支点２１を中心として、上方（同図の時計方向）に回動する。それに伴い、キャプスタンスクリュー２５は、そのキャプスタン角度（側方から見たときの、キャプスタンスクリュー２５の鉛直に対する角度）を変化させながら、クロスＣに沿って前方に摺動する。
【００２５】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２６】
そして、図３に示すように、鍵２が押しきられると、ハンマー５がハンマーストッパ３１に当接することによって、上方へのハンマー５の回動が終了する。また、上方へのハンマー５の回動の間、そのアクチュエータ部２６が鍵スイッチ７のスイッチ本体３０を押圧し、鍵スイッチ７をＯＮすることによって、ハンマー５の回動速度に応じた鍵２の押鍵情報が検出され、発音制御装置（図示せず）に出力される。そして、この発音制御装置により、検出された押鍵情報に基づいて、電子ピアノの発音が制御される。
【００２７】
その後、鍵２が離鍵されると、鍵２は押鍵時と反対方向に揺動し、図１に示す離鍵状態に復帰し、それに伴い、ハンマー５も、下方に回動し、離鍵状態に復帰する。
【００２８】
また、図４に示すように、鍵２が押しきられたときには、キャプスタンスクリュー２５は、鉛直に対して後方に若干、傾いており、この場合におけるキャプスタン角度は、第２所定値θ２である。この第２所定値θ２は、図４と前述した図２との比較から明らかなように、鍵２が離鍵状態にあるときにキャプスタン角度として設定された第１所定値θ１よりも小さく設定されている。
【００２９】
このように、本実施形態によれば、キャプスタン角度（キャプスタンスクリュー２５を側方から見たときの、キャプスタンスクリュー２５の鉛直に対する角度）は、鍵２が離鍵状態にあるとき（第１所定値θ１）よりも、押しきられたとき（第２所定値θ２）、すなわち押鍵の終了時の方が小さく設定されている。これにより、鍵２の押鍵時に、すなわち、押鍵が開始されてから終了されるまでの間にわたって、鉛直に作用するハンマー５の反力のうち、キャプスタンスクリュー２５の軸に対して直角な方向の分力を低減することができ、それにより、ハンマー５の反力を、キャプスタンスクリュー２５を介して鍵２に適切に伝達することができる。したがって、押鍵時にタッチ重さを十分に確保でき、それにより、良好な演奏性を得ることができる。特に、前述した従来の鍵盤装置と異なり、押鍵の終了直前においてタッチ重さを十分に確保できるので、良好な演奏性をより有効に得ることができる。
【００３０】
また、鍵２が離鍵状態にあるときに、ハンマー支点２１およびハンマー５の重心ＧＧが互いにほぼ同じ高さに位置しているので、ハンマー支点２１がハンマー５の重心ＧＧよりも低い場合と比較して、ハンマー５の反力（重力）のうち、ハンマー５の長さ方向の分力を低減でき、それにより、押鍵時に鍵２に作用するハンマー５の反力を増大させることができる。これにより、上述した効果、すなわち、押鍵時にタッチ重さを十分に確保でき、それにより良好な演奏性を得ることができるという効果を、より有効に得ることができる。
【００３１】
さらに、本実施形態による鍵盤装置１とは異なり、鍵が離鍵状態にあるとき、および押しきられたときのいずれにも、キャプスタンスクリューが前方に傾くように構成した場合、あるいは、鍵が離鍵状態にあるときにキャプスタンスクリューが前方に傾くとともに、押しきられたときに垂直になるように構成した場合には、鍵が離鍵状態にあるときのキャプスタン角度は、非常に大きくなる。それにより、押鍵の初期に、キャプスタン角度が大きくなる結果、ハンマーの反力がキャプスタンスクリューを介して鍵に適切に伝達されなくなり、ひいては、タッチ重さが不足してしまう。これに対して、本実施形態によれば、図１および図３に示すように、キャプスタンスクリュー２５は、鉛直に対して、鍵２が離鍵状態にあるときには前方に、押しきられたときには後方に、それぞれ傾いている。これにより、鍵２が離鍵状態にあるときのキャプスタン角度が小さくなるので、それにより、押鍵の初期にタッチ重さを十分に得ることができる。
【００３２】
また、図５および図６は、比較例による電子ピアノの鍵盤装置５１を示している。この鍵盤装置５１は、本実施形態による鍵盤装置１とほぼ同様に構成されているので、その構成および動作について、以下、簡単に説明する。鍵盤装置５１は、電子ピアノの左右方向（図５の表裏方向）に並んだ多数の鍵５２（白鍵５２ａおよび黒鍵５２ｂを各１つのみ図示）と、これらの鍵５２を、その中央部において揺動自在に支持する鍵盤シャーシ５３と、この鍵盤シャーシ５３の後端部（図５の右端部）に連結されたハンマーサポート５４と、鍵５２ごとに設けられた多数のハンマー５５（１つのみ図示）と、ハンマー５５ごとに設けられた多数のレットオフ部品５６（１つのみ図示）と、鍵５２の押鍵情報を検出するための鍵スイッチ５７などで構成されている。
【００３３】
鍵５２の後端部は、その上面に切欠きが設けられ、階段状に形成されており、この切欠き部分の上面には、クロスＣが貼り付けられている。ハンマー５５の後端部には、円弧状の軸孔５５ａが形成されており、ハンマー５５は、この軸孔５５ａがハンマーサポート５４のハンマー支点５４ａに係合することによって、ハンマーサポート５４に回動自在に支持されている。また、ハンマー５５の下面には、軸孔５５ａのすぐ前側の位置に、キャプスタンスクリュー５８がねじ込まれており、キャプスタンスクリュー５８は、上記のクロスＣを介して鍵５２の後端部に当接している。ハンマー５５は、このキャプスタンスクリュー５８を介して、鍵５２の後端部に載置されている。
【００３４】
以上の構成の鍵盤装置５１では、図５に示す離鍵状態から鍵５２が押鍵されると、鍵５２は、その前後方向の中央部を中心として、同図の反時計方向に揺動し、それに伴い、ハンマー５５は、キャプスタンスクリュー５８を介して突き上げられ、ハンマー支点５４ａを中心として、上方（同図の時計方向）に回動する。それに伴い、キャプスタンスクリュー５８は、側方から見たときの、鉛直に対する角度を変化させながら、クロスＣに沿って前方に摺動する。
【００３５】
そして、図６に示すように、鍵５２が押しきられると、ハンマー５５が、上方に設けられたハンマーストッパ５９に当接することによって、上方へのハンマー５５の回動が終了する。また、上方へのハンマー５５の回動の間、ハンマー５５のアクチュエータ部５５ｂが鍵スイッチ５７を押圧し、鍵スイッチ５７をＯＮすることによって、ハンマー５５の回動速度に応じた鍵５２の押鍵情報が検出され、発音制御装置（図示せず）に出力される。この発音制御装置により、検出された押鍵情報に基づいて、電子ピアノの発音が制御される。
【００３６】
その後、鍵５２が離鍵されると、鍵５２は押鍵時と反対方向に揺動し、図５に示す離鍵状態に復帰し、それに伴い、ハンマー５５も、下方に回動し、離鍵状態に復帰する。
【００３７】
図７（ａ）に示すように、鍵５２が押しきられたときにおける、キャプスタンスクリュー５８を側方から見たときの、クロスＣに直交する垂直線に対するキャプスタンスクリュー５８の角度θａは、比較的大きくなっている。このため、図７（ｂ）に示すように、鍵５２が押しきられたときにおける、クロスＣに対するキャプスタンスクリュー５８の接触面積Ｓａは、比較的小さくなっている。
【００３８】
これに対して、本実施形態による鍵盤装置１では、図８（ａ）に示すように、鍵２が押しきられたときにおける、キャプスタンスクリュー２５を側方から見たときの、クロスＣに直交する垂直線に対するキャプスタンスクリュー２５の角度θｂは、図７（ａ）に示す比較例の場合（θａ）よりも小さくなっている。このため、図８（ｂ）に示すように、鍵２が押しきられたときにおける、クロスＣに対するキャプスタンスクリュー２５の接触面積Ｓｂは、図７（ｂ）に示す比較例の場合（Ｓａ）よりも大きくなっている。これにより、鍵２の押鍵時、キャプスタンスクリュー２５がクロスＣに沿って摺動しているときに、クロスＣに対するキャプスタンスクリュー２５の真実接触面積を増大させることができるので、両者２５、Ｃの間の摩擦を増大させることができ、それにより、より大きなタッチ重さを得ることができる。
【００３９】
なお、本発明は、説明した実施形態に限定されることなく、種々の態様で実施することができる。例えば、実施形態では、キャプスタンスクリュー２５は、ハンマー５に設けられるとともに、鍵２に当接しているが、これとは逆に、鍵２に設けるとともに、ハンマー５に当接してもよい。また、実施形態では、鍵２が離鍵状態にあるときには前方に、押しきられたときには後方に、キャプスタンスクリュー２５がそれぞれ傾くように構成しているが、鍵２が離鍵状態にあるときよりも、押しきられたときの方が、キャプスタン角度（側方から見たときの、鉛直に対する角度）が小さくなるのであれば、キャプスタンスクリュー２５を次のようにして構成してもよい。すなわち、鍵２が離鍵状態にあるとき、および押しきられたときのいずれにも、キャプスタンスクリュー２５が前方に傾くように構成してもよく、あるいは、鍵２が離鍵状態にあるときにキャプスタンスクリュー２５が前方に傾くとともに、押しきられたときに垂直になるように構成してもよい。
【００４０】
さらに、実施形態は、電子ピアノの鍵盤装置１に、本発明を適用した例であるが、本発明は、これに限らず、他の適当な電子鍵盤楽器、例えばシンセサイザーの鍵盤装置にも適用可能である。その他、本発明の趣旨の範囲内で、細部の構成を適宜、変更することが可能である。
【符号の説明】
【００４１】
１  鍵盤装置
２  鍵
５  ハンマー
２１  ハンマー支点
２５  キャプスタンスクリュー
ＧＧ  ハンマーの重心
【図１】
0005886618.tif 000002
【図２】
0005886618.tif 000003
【図３】
0005886618.tif 000004
【図４】
0005886618.tif 000005
【図５】
0005886618.tif 000006
【図６】
0005886618.tif 000007
【図７】
0005886618.tif 000008
【図８】
0005886618.tif 000009